(57)【要約】【課題】  被清掃面が布団等の寝具の場合に、回転清掃体が頻繁に停止することを防ぐと共に、安全スイッチの動作不良を防ぐことができる寝具用電気掃除機用吸込具及びこの寝具用電気掃除機用吸込具を備えた電気掃除機を提供する。【解決手段】  寝具用電気掃除機用吸込具１０は、吸込口本体１と、回転清掃体３ａ、３ｂと、回転清掃体３ａ、３ｂの回転を停止させる安全スイッチ４と、２個の車輪５ａ、５ｂとを備えており、安全スイッチ４は、清掃時に被清掃面Ｃと接触する接地部９とを有している。そして、清掃時に吸込口本体１が被清掃面Ｃと接地した状態では、接地部９が、２個の車輪５ａ、５ｂを結ぶ前後幅であるＤＥ間の範囲内に設置されている。【選択図】図４
2017140256.tif 000002
【特許請求の範囲】
【請求項１】
開口を有する吸込口本体と、前記開口に臨ませて前記吸込口本体内に回転自在に設置された回転清掃体と、該回転清掃体の両端部に設置された軸受部材と、前記回転清掃体の回転を停止させる安全スイッチと、回転軸心が略同一となるよう配された２個の車輪とを備え、前記安全スイッチを構成する検知部は、アーム部と、清掃時に被清掃面と接触する接地部と、を有し、前記吸込口本体を持ち上げた状態で、前記回転清掃体の回転が停止し、清掃時に前記吸込口本体が被清掃面と接地した状態で、前記回転清掃体の回転が継続するものであって、清掃時に前記吸込口本体が被清掃面と接地した状態では、前記接地部が、前記２個の車輪を結ぶ前後幅の範囲内に設置されていることを特徴とする寝具用電気掃除機用吸込具。
【請求項２】
開口を有する吸込口本体と、前記開口に臨ませて前記吸込口本体内に回転自在に設置された一本あるいは複数本の回転清掃体と、該回転清掃体の両端部に設置された軸受部材と、前記回転清掃体の回転を停止させる安全スイッチとを備え、前記安全スイッチを構成する検知部は、回動アーム部と、清掃時に被清掃面と接触する接地部と、を有し、前記吸込口本体を持ち上げた状態で、前記回転清掃体の回転が停止し、清掃時に前記吸込口本体が被清掃面と接地した状態で、前記回転清掃体の回転が継続するものであって、前記回動アーム部の回動支点は、該回動支点に最も近い前記回転清掃体の回転外径よりも上方に位置していることを特徴とする寝具用電気掃除機用吸込具。
【請求項３】
吸引力を発生させる電動送風機と、塵埃を捕集する集塵室と、請求項１又は２に記載の寝具用電気掃除機用吸込具とを備えていることを特徴とする電気掃除機。
【発明の詳細な説明】
【技術分野】
【０００１】
本発明は、被清掃面として特に布団等に付着した塵埃、ダニ等を除去する用途に適した寝具用電気掃除機用吸込具と、この寝具用電気掃除機用吸込具を備えた電気掃除機に関するものである。
【背景技術】
【０００２】
従来から、様々な構造の電気掃除機が開発されており、特に、吸込具に回転ブラシを備えており、回転ブラシ駆動モータの駆動を停止させる安全スイッチとスイッチレバー間に伝達部材として移動可能なボールを介装し、上下逆にしたとき、安全スイッチとスイッチレバー間に隙間を作ってスイッチレバーに外力を加えても回転ブラシ駆動モータの安全スイッチがＯＮとならない構造の電気掃除機が知られている（特許文献１）。
【０００３】
また、吸込具の後部に設置されている２個の車輪の前側近傍に、回転清掃体の回転を停止させる安全スイッチの車輪が設置されて、この安全スイッチの車輪が被清掃面から離れることにより、回転清掃体の回転が停止する構造の電気掃除機が知られている（特許文献２の図５参照）。
【先行技術文献】
【特許文献】
【０００４】
【特許文献１】特開平１０−７５９２２号公報
【特許文献２】特開２００４−８１８９２号公報
【発明の概要】
【発明が解決しようとする課題】
【０００５】
しかしながら、上記特許文献１及び特許文献２に記載された電気掃除機の吸込具を寝具用の電気掃除機に適用した場合には、被清掃面である寝具の凹凸によって、安全スイッチがＯＦＦとなり易く、回転清掃体の回転が頻繁に停止してしまう恐れがあった。
【０００６】
また、上記特許文献１に記載された電気掃除機の吸込具は、回転清掃体によって舞い上がった砂や塵埃が、スイッチレバーの回動支点に入ることによって、安全スイッチの動作不良を起こし易い構造となっており、被清掃面が柔らかい寝具上である寝具用の電気掃除機に適用した場合には、さらに安全スイッチの動作不良が起き易くなる恐れがあった。
【０００７】
本発明は、前記従来の課題を解決するものであり、被清掃面が布団等の寝具の場合に、回転清掃体が頻繁に停止することを防ぐと共に、安全スイッチの動作不良を防ぐことができる寝具用電気掃除機用吸込具及びこの寝具用電気掃除機用吸込具を備えた電気掃除機を提供することを目的とする。
【課題を解決するための手段】
【０００８】
前記従来の課題を解決するために、請求項１の寝具用電気掃除機用吸込具の発明は、開口を有する吸込口本体と、前記開口に臨ませて前記吸込口本体内に回転自在に設置された回転清掃体と、該回転清掃体の両端部に設置された軸受部材と、前記回転清掃体の回転を停止させる安全スイッチと、回転軸心が略同一となるよう配された２個の車輪とを備え、前記安全スイッチを構成する検知部は、アーム部と、清掃時に被清掃面と接触する接地部と、を有し、前記吸込口本体を持ち上げた状態で、前記回転清掃体の回転が停止し、清掃時に前記吸込口本体が被清掃面と接地した状態で、前記回転清掃体の回転が継続するものであって、清掃時に前記吸込口本体が被清掃面と接地した状態では、前記接地部が、前記２個の車輪を結ぶ前後幅の範囲内に設置されていることを特徴としている。
【０００９】
請求項１の寝具用電気掃除機用吸込具は、安全スイッチの接地部が２個の車輪を結ぶ前後幅の範囲内に設置されていることによって、凹凸のある寝具の上面が被清掃面である場合において、２個の車輪の一方又は両方が寝具の上面に接触していれば、安全スイッチの接地部も寝具の上面に接触している可能性が高くなり、清掃している最中に安全スイッチがＯＦＦとなって頻繁に回転清掃体の回転が停止してしまうことを防ぐことができる。
【００１０】
請求項２の寝具用電気掃除機用吸込具の発明は、開口を有する吸込口本体と、前記開口に臨ませて前記吸込口本体内に回転自在に設置された一本あるいは複数本の回転清掃体と、該回転清掃体の両端部に設置された軸受部材と、前記回転清掃体の回転を停止させる安全スイッチとを備え、前記安全スイッチを構成する検知部は、回動アーム部と、清掃時に被清掃面と接触する接地部と、を有し、前記吸込口本体を持ち上げた状態で、前記回転清掃体の回転が停止し、清掃時に前記吸込口本体が被清掃面と接地した状態で、前記回転清掃体の回転が継続するものであって、前記回動アーム部の回動支点は、該回動支点に最も近い前記回転清掃体の回転外径よりも上方に位置していることを特徴としている。
【００１１】
請求項２の寝具用電気掃除機用吸込具は、安全スイッチの回動アーム部の回動支点が、該回動支点に最も近い回転清掃体の回転外径よりも上方に位置していることによって、回転清掃体によって舞い上がった砂や塵埃が、回動アーム部の回動支点に入って動作不良を起こすことを防ぐことができる。特に、被清掃面が柔らかい寝具上面である場合には、回動アーム部を押す力が弱くなる状況があり、動作不良を起こす原因である砂や塵埃を除去する必要がある。
【００１２】
請求項３の発明は、電気掃除機の発明であって、吸引力を発生させる電動送風機と、塵埃を捕集する集塵室と、請求項１又は２に記載の寝具用電気掃除機用吸込具とを備えていることを特徴としている。したがって、被清掃面が布団等の寝具の場合に、回転清掃体が頻繁に停止することを防ぐと共に、安全スイッチの動作不良を防ぐことができる電気掃除機を提供することができる。
【発明の効果】
【００１３】
請求項１の発明では、清掃中に安全スイッチがＯＦＦとなって頻繁に回転清掃体の回転が停止してしまうことを防ぐことができる。また、請求項２の発明では、回転清掃体によって舞い上がった砂や塵埃が、回動アーム部の回動支点に入って動作不良を起こすことを防ぐことができる。また、請求項３の発明では、被清掃面が布団等の寝具の場合に、回転清掃体が頻繁に停止することを防ぐと共に、安全スイッチの動作不良を防ぐことができる電気掃除機を提供することができる。
【図面の簡単な説明】
【００１４】
【図１】本発明に係る寝具用電気掃除機用吸込具を吸込口本体の開口方向から視た斜視図
【図２】図１のＡ−Ａ断面図
【図３】図１のＢ−Ｂ断面図
【図４】吸込口本体が被清掃面に接地している状態を示す断面図
【図５】吸込口本体の開口を上方に向けた状態の断面図
【発明を実施するための形態】
【００１５】
以下、本発明の実施形態について、図面を参照しながら説明する。なお、この実施の形態によって本発明が限定されるものではない。
【００１６】
図１は、本発明に係る寝具用電気掃除機用吸込具を吸込口本体の開口方向から視た斜視図であり、図２は、図１のＡ−Ａ断面図、図３は、図１のＢ−Ｂ断面図である。また、図４は、吸込口本体が被清掃面に接地している状態を示す断面図である。これらの図を用いて、本発明に係る寝具用電気掃除機用吸込具について説明する。
【００１７】
本発明に係る寝具用電気掃除機用吸込具１０は、開口２を有する吸込口本体１と、開口２に臨ませて吸込口本体１内に回転自在に設置された回転清掃体３ａ、３ｂと、回転清掃体３ａ、３ｂの両端部に設置された軸受部材（図示せず）と、回転清掃体３ａ、３ｂの回転を停止させる安全スイッチ４と、回転軸心が略同一となるよう配された２個の車輪５ａ、５ｂとを備えている。
【００１８】
安全スイッチ４は、検知部６と電源スイッチ７とから構成されており、検知部６は、アーム部（回動アーム部）８と、清掃時に被清掃面Ｃと接触する接地部９とを有している。そして、吸込口本体１を持ち上げた状態で、回転清掃体３ａ、３ｂの回転が停止し、清掃時に吸込口本体１が被清掃面Ｃと接地した状態で、回転清掃体３ａ、３ｂの回転が継続する構造となっている。
【００１９】
具体的には、図３に示すように、吸込口本体１を持ち上げた状態、即ち、接地部９が被清掃面Ｃと接触していない状態では、アーム部（回動アーム部）８が回動支点１２を中心として反時計回りに回転して、接地部９が、接地部収容口１１から下方に突出した状態となる。この状態では、アーム部（回動アーム部）８の押圧部８ａが、電源スイッチ７を構成する接点７ｂから離れる方向に動いた状態となるので、電源スイッチ７を構成する板バネ状の接触子７ａが、接点７ｂから離れることとなり、安全スイッチ４がＯＦＦの状態となる。
【００２０】
安全スイッチ４がＯＦＦの状態となると、回転清掃体３ａ、３ｂを回転駆動させている駆動モータ（図示せず）の回転が停止して、回転清掃体３ａ、３ｂの回転が停止することとなる。尚、回転清掃体３ａは、ブレード１３、１３の基部が、ロータ１４ａに固定されて形成されたものであり、回転清掃体３ｂは、ブラシ１５、１５・・の基部が、ロータ１４ｂに固定されて形成されたものである。
【００２１】
一方、図４に示すように、接地部９が被清掃面Ｃと接触している状態では、アーム部（回動アーム部）８が回動支点１２を中心として時計回りに回転して、接地部９が、接地部収容口１１の内方へ収容された状態となる。この状態では、アーム部（回動アーム部）８に形成された押圧部８ａが、電源スイッチ７を構成する接点７ｂに近づく方向に動いた状態となるので、電源スイッチ７を構成する板バネ状の接触子７ａが、押圧部８ａに押されて、接点７ｂと接触している状態となり、安全スイッチ４がＯＮの状態となる。
【００２２】
安全スイッチ４がＯＮの状態では、回転清掃体３ａ、３ｂを回転駆動させている駆動モータ（図示せず）が回転している状態となり、回転清掃体３ａ、３ｂの回転が継続することとなる。尚、回転清掃体３ａ、３ｂは、図４に示すように、反時計回りに回転するように設定されている。
【００２３】
また、図４に示すように、清掃時に吸込口本体１が被清掃面Ｃと接地した状態では、接地部９が、２個の車輪５ａ、５ｂを結ぶ前後幅であるＤＥ間の範囲内に設置されている。これにより、凹凸のある寝具の上面が被清掃面Ｃである場合において、２個の車輪５ａ、５ｂの一方又は両方が寝具の上面に接触していれば、安全スイッチ４の接地部９も寝具の上面に接触している可能性が高くなる。そのため、清掃中に安全スイッチ４がＯＦＦとなって頻繁に回転清掃体３ａ、３ｂの回転が停止してしまうことを防ぐことができる。尚、本実施形態では、接地部９は、車軸９ａを軸に回転する車輪としているが、これに限定されるものでは無く、車輪を備えずにアーム部（回動アーム部）８を直に接地させる場合や、別部材を接地片として形成させてもよい。
【００２４】
また、図３及び図４に示すように、アーム部（回動アーム部）８の回動支点１２は、該回動支点１２に最も近い回転清掃体３ｂの回転外径よりも上方に位置している。これにより、回転清掃体３ｂによって舞い上がった砂や塵埃が、空気穴（図示せず）を通ってアーム部（回動アーム部）８の回動支点１２に入り回転が阻害され、動作不良を起こすことを防ぐことができる。特に、被清掃面Ｃが柔らかい寝具上面である場合には、アーム部（回動アーム部）８を押す力が弱くなる状況があり、動作不良を起こす原因である砂や塵埃を除去する必要があるが、上記構成によって、その効果を有効に奏することができる。
【００２５】
図５は、吸込口本体の開口を上方に向けた状態の断面図である。図３及び図４に示す状態では、アーム部（回動アーム部）８の凹部８ｂに球体８ｃが収容された状態となっている。一方、図５に示すように、吸込口本体１の開口２を上方に向けた状態では、球体８ｃが、凹部８ｂから外れて、係止片１６とアーム部（回動アーム部）８に形成された押圧部８ｄに挟まれた状態となる。この状態では、アーム部（回動アーム部）８が、回動支点１２を中心にして図面上、時計回りに回転することができなくなり、押圧部８ａは、接触子７ａを接点７ｂ方向へ押圧することができないので、確実に安全スイッチ４がＯＦＦの状態となる。
【００２６】
上述した特徴を備えた本発明に係る寝具用電気掃除機用吸込具１０が、吸引力を発生させる電動送風機（図示せず）と、塵埃を捕集する集塵室（図示せず）とを備えた電気掃除機に備えられることによって、被清掃面が布団等の寝具の場合に、回転清掃体３ａ、３ｂが頻繁に停止することを防ぐと共に、安全スイッチ４の動作不良を防ぐことができる電気掃除機を提供することができる。
【産業上の利用可能性】
【００２７】
本発明に係る寝具用電気掃除機用吸込具及び電気掃除機は、布団等の寝具の被清掃面に付着した塵埃やダニ等を除去するための寝具用電気掃除機用吸込具及び電気掃除機として利用される。
【符号の説明】
【００２８】
１  吸込口本体
２  開口
３ａ、３ｂ  回転清掃体
４  安全スイッチ
５ａ、５ｂ  車輪
６  検知部
７  電源スイッチ
７ａ  接触子
７ｂ  接点
８  アーム部（回動アーム部）
８ａ、８ｄ  押圧部
８ｂ  凹部
８ｃ  球体
９  接地部
９ａ  車軸
１０  寝具用電気掃除機用吸込具
１１  接地部収容口
１２  回動支点
１３  ブレード
１４ａ、１４ｂ  ロータ
１５  ブラシ
１６  係止片
【図１】
2017140256.tif 000003
【図２】
2017140256.tif 000004
【図３】
2017140256.tif 000005
【図４】
2017140256.tif 000006
【図５】
2017140256.tif 000007